(57)【要約】【課題】植物体を発芽させた後に移植する作業を容易にすることができる植物育成装置を提供する。【解決手段】単一の栄養体１００から複数の芽及び複数の根１０２を出す植物を育成する植物育成装置であって、断面が上方から下方に向かうに従い小さくなる形状の容器部１と、容器部１の内壁に設けられ、栄養体１００を保持する保持部１ａと、容器部１の上面側と下面側の少なくとも一方に設けられた開口部１ｂ、１ｃとを備える。【選択図】図１
2014209871.tif 000002
【特許請求の範囲】
【請求項１】
単一の栄養体から複数の芽及び複数の根を出す植物を育成する植物育成装置であって、
断面が上方から下方に向かうに従い小さくなる形状の容器部と、
前記容器部の内壁に設けられ、前記栄養体を保持する保持部と、
前記容器部の上面側と下面側の少なくとも一方に設けられた開口部と、
を備えることを特徴とする植物育成装置。
【請求項２】
前記保持部は、前記容器部の内壁に、上下方向に伸びる複数の凸部で構成されていることを特徴とする請求項１に記載の植物育成装置。
【請求項３】
前記保持部は網目状の部材のうち上下方向に伸びる部材により構成され、
前記容器部は、前記上下方向に伸びる部材と、前記上下方向に伸びる部材とは異なる方向に伸びる部材とによって構成されることを特徴とする請求項１に記載の植物育成装置。
【請求項４】
前記保持部は上下方向に伸びる複数の棒状部材により構成され、
前記容器部は、前記上下方向に伸びる複数の棒状部材と、当該棒状部材の下端部を支持する支持部とにより構成されていること
を特徴とする請求項１に記載の植物育成装置。
【請求項５】
前記開口部が前記容器部の上面側に設けられ、前記上面側の開口部から水平方向に伸びるリブ部を設けることを特徴とする請求項１乃至請求項４の何れか一項に記載の植物育成装置。
【請求項６】
前記開口部が前記容器部の上面側に設けられ、前記上面側の開口部に、前記栄養体から伸びた茎部を支持する部材と組み合わせ可能なガイド部を設けることを特徴とする請求項１乃至請求項４の何れか一項に記載の植物育成装置。
【請求項７】
前記リブ部の重量を計測する重量計測部と、
前記重量計測部により計測された結果を表示する表示部と
を備えることを特徴とする請求項５に記載の植物育成装置。
【請求項８】
前記重量計測部による計測結果を外部に送信する送信部を備えることを特徴とする請求項７に記載の植物育成装置。
【発明の詳細な説明】
【技術分野】
【０００１】
本発明は、植物体を育成する植物育成装置に関する。
【背景技術】
【０００２】
植物を育成する技術としては、下記の特許文献１が知られている。この特許文献１には、非透水性の容器と、その容器の上部を塞ぐように設けられ植物を支持するための支持部材とを備えた植物育成装置が記載されている。さらに、この植物育成装置は、容器の下部から支持部材の上面に水を送り、支持部材の下方と外部との間に空気を供給している。
【先行技術文献】
【特許文献】
【０００３】
【特許文献１】特開２００６−１５８３８３号公報
【発明の概要】
【発明が解決しようとする課題】
【０００４】
ところで、植物は種子繁殖するものと栄養繁殖するものが存在する。栄養繁殖の場合、種芋の個体差により出芽や発根の位置が特定できない。また、球形のどの位置から根と芽が生育するかは個体差によるバラツキが存在する。さらに、種芋から発芽すると共に根が生じた後に、水耕栽培装置に移植する作業を容易にすることが望まれている。
【０００５】
そこで、本発明は、上述した実情に鑑みて提案されたものであり、植物体を発芽させた後に移植する作業を容易にすることができる植物育成装置を提供することを目的とする。
【課題を解決するための手段】
【０００６】
本発明の第１の態様に係る植物育成装置は、単一の栄養体から複数の芽及び複数の根を出す植物を育成する植物育成装置であって、断面が上方から下方に向かうに従い小さくなる形状の容器部と、前記容器部の内壁に設けられ、前記栄養体を保持する保持部と、前記容器部の上面側と下面側の少なくとも一方に設けられた開口部とを備えることを特徴とする。
【０００７】
本発明の第２の態様に係る植物育成装置は、第１の態様の植物育成装置であって、前記保持部は、前記容器部の内壁に、上下方向に伸びる複数の凸部で構成されていることを特徴とする。
【０００８】
本発明の第３の態様に係る植物育成装置は、上記第１の態様の植物育成装置であって、前記保持部は網目状の部材のうち上下方向に伸びる部材により構成され、前記容器部は、前記上下方向に伸びる部材と、前記上下方向に伸びる部材とは異なる方向に伸びる部材とによって構成されることを特徴とする。
【０００９】
本発明の第４の態様に係る植物育成装置は、上記第１の態様の植物育成装置であって、前記保持部は上下方向に伸びる複数の棒状部材により構成され、前記容器部は、前記上下方向に伸びる複数の棒状部材と、当該棒状部材の下端部を支持する支持部とにより構成されていることを特徴とする。
【００１０】
本発明の第５の態様に係る植物育成装置は、上記第１乃至第４の態様の何れかの植物育成装置であって、前記開口部が前記容器部の上面側に設けられ、前記上面側の開口部から水平方向に伸びるリブ部を設けることを特徴とする。
【００１１】
本発明の第６の態様に係る植物育成装置は、上記第１乃至第４の態様の何れかの植物育成装置であって、前記開口部が前記容器部の上面側に設けられ、前記上面側の開口部に、前記栄養体から伸びた茎部を支持する部材と組み合わせ可能なガイド部を設けることを特徴とする。
【００１２】
本発明の第７の態様に係る植物育成装置は、上記第５の態様の植物育成装置であって、前記リブ部の重量を計測する重量計測部と、前記重量計測部により計測された結果を表示する表示部とを備えることを特徴とする。
【００１３】
本発明の第８の態様に係る植物育成装置は、上記第７の態様の植物育成装置であって、前記重量計測部による計測結果を外部に送信する送信部を備えることを特徴とする。
【発明の効果】
【００１４】
本発明によれば、保持部により栄養体を保持した状態で発芽させるので、植物体を発芽させた後に移植する作業を容易にすることができる。
【図面の簡単な説明】
【００１５】
【図１】本発明の実施形態として示す植物育成装置の一構成例を示す図であり、（ａ）は斜視図、（ｂ）は上面図である。
【図２】本発明の実施形態として示す植物育成装置の他の構成例を示す図であり、（ａ）は斜視図、（ｂ）は上面図である。
【図３】本発明の実施形態として示す植物育成装置の他の構成例を示す斜視図である。
【図４】本発明の実施形態として示す植物育成装置の他の構成例を示す斜視図である。
【図５】本発明の実施形態として示す植物育成装置の他の構成例を示す斜視図である。
【図６】本発明の実施形態として示す植物育成装置の他の構成例を示す斜視図である。
【図７】本発明の実施形態として示す植物育成装置の他の構成例を示す斜視図である。
【図８】本発明の実施形態として示す植物育成装置における容器部を水耕栽培装置に移植した状態を示す概略図である。
【図９】本発明の実施形態として示す植物育成装置において、制御部の構成を示すブロック図である。
【図１０】栄養体を含む容器部等の重量と制御タイミングとの関係を示す図である。
【図１１】本発明の実施形態として示す植物育成装置における容器部を水耕栽培装置に移植した状態を示す概略図である。
【図１２】本発明の実施形態として示す植物育成装置において、パッシブ型のタグ及びリーダ部の構成を示すブロック図である。
【図１３】本発明の実施形態として示す植物育成装置において、アクティブ型のタグ及びリーダ部の構成を示すブロック図である。
【図１４】本発明の実施形態として示す植物育成装置における容器部を水耕栽培装置に移植した状態を示す概略図である。
【図１５】本発明の実施形態として示す植物育成装置において、アクティブ型のタグ及びリーダ部の構成を示すブロック図である。
【発明を実施するための形態】
【００１６】
以下、本発明の実施の形態について図面を参照して説明する。
【００１７】
本発明の実施形態として示す植物育成装置は、例えば図１に示すように構成される。図１（ａ）は植物育成装置の斜視図であり、図１（ｂ）は植物育成装置の上面図である。この植物育成装置は、単一の栄養体１００から複数の芽及び複数の根１０２を出す植物を育成する。本実施形態においては、栄養体１００としてジャガイモの種芋を育成するものを例に挙げて説明する。栄養体１００は、芽及び根が生じていない状態で、植物育成装置に設置される。栄養体１００は、植物育成装置に設置された状態で、水分が供給される。これにより栄養体１００は、複数の芽が生じて複数の茎１０１を生じ、上方向に伸びる。また、栄養体１００から複数の根１０２が生じて、根１０２は下方向に垂れ下がる。
【００１８】
この植物育成装置は、栄養体１００が設置されてから、栄養体１００を育苗させる。栄養体１００から複数の茎１０１及び複数の根１０２が生じた状態で、栄養体１００は、水耕栽培装置に移植される。
【００１９】
植物育成装置は、育苗装置としての容器部１を有する。この容器部１の内壁には、保持部１ａが設けられる。容器部１の上面は、開口部１ｂとなっている。同様に、容器部１の下面は、開口部１ｃとなっている。容器部１の下端には、複数の設置固定部１ｄが形成されている。
【００２０】
容器部１は、断面面積が上方から下方に向かうに従い小さくなる形状となっている。この形状は、例えばすり鉢状となっている。
【００２１】
保持部１ａは、容器部１の内壁に設けられる。保持部１ａは、容器部１の内壁と一体的に形成されていてもよい。又は、保持部１ａは、容器部１の内壁から分離可能あってもよい。保持部１ａは、栄養体１００を保持する。この保持部１ａは、図１（ｂ）に示すように、容器部１の内壁から突出するよう形成されている。保持部１ａは、栄養体１００が設置された状態で、栄養体１００に当接する。この状態では、栄養体１００と容器部１の内壁との間に、保持部１ａの内部方向長さに相当する隙間が形成される。
【００２２】
保持部１ａは、容器部１の内壁に、上下方向に伸びる複数の凸部で構成されている。なお、保持部１ａは上下方向に伸びる複数の凸部でなくてもよい。例えば、保持部１ａは、容器部１の内壁に水平方向に形成された複数の凸部であってもよい。さらには、保持部１ａは、容器部１の内壁に上下方向及び水平方向に形成された複数の凸部であってもよい。さらには、保持部１ａは、所定長さで点在する複数の凸部であってもよい。
【００２３】
容器部１の上面側及び下面側には、開口部１ｂ、開口部１ｃが設けられる。なお、開口部は、容器部１の上面側と下面側の少なくとも一方に設けられていればよい。
【００２４】
このような植物育成装置は、容器部１の内部に種芋としての栄養体１００を設置する。この状態で、植物育成装置は、栄養体１００が腐敗しない程度の水分を栄養体１００に与える。水分の供給方法は、手動による霧吹きや自動タイマー制御による噴霧装置などが挙げられる。なお、水分の供給方法はあらゆる形態が適用可能である。
【００２５】
栄養体１００が育成すると発芽し、茎１０１及び根１０２が生じる。このとき、栄養体１００と容器部１の内壁との間には、保持部１ａによって形成された隙間がある。したがって、この植物育成装置によれば、栄養体１００と容器部１の内壁との間の空間を設けることにより、茎１０１及び根１０２が伸びるスペースとして確保することができる。また、この植物育成装置は、容器部１を移動させて水耕栽培装置に移植でき、植物体を発芽させた後に移植する作業を容易にすることができる。
【００２６】
さらに、植物育成装置は、一定スペースの容器部１内に栄養体１００の生育領域を制限することができる。これにより、植物育成装置は、多数の植物育成装置を並べて多数の栄養体１００を育成しても隣接株との干渉を抑制することができる。
【００２７】
さらに、植物育成装置によれば、専用培地を利用せずとも育苗を実施することが可能となる。したがって、この植物育成装置によれば、専用培地を利用するよりも、栄養体１００を育成する手間や管理コストを低減できる。
【００２８】
さらに、ジャガイモといった栄養体１００としての種芋は、個体差により出芽や発根の位置が特定できず、球形のどの位置から根と芽が生育するかはバラツキが存在する。これに対し、植物育成装置によれば、培地がなくても、保持部１ａによって容器部１の内壁と栄養体１００との間に空間を設けることができ、種芋としての栄養体１００を潅水することを抑制できる。
【００２９】
さらに、この植物育成装置によれば、容器部１の下面に開口部１ｃを設けている。これにより、栄養体１００から伸びた根１０２は、開口部１ｃから垂れ下がる。これにより、植物育成装置は、栄養体１００が収容された容器部１を移植させて、培養液に根１０２を浸すことができる。したがって、この植物育成装置によれば、容器部１をそのまま水耕栽培装置に移植することができ、移植の手間を軽減できる。なお、培養液によって植物を育成する水耕栽培方式は、薄膜水耕方式（Nutrient Film Technique：NFT）であってもよく、湛液型水耕(Deep Flow Technique:DFT)であってもよく、特定の方式に限定されるものではない。
【００３０】
本実施形態において、図２（ａ）に示すように、保持部１ａは網目状の部材のうち上下方向に伸びる部材により構成してもよい。この保持部１ａは、図２（ｂ）に示すように、容器部１の内壁に相当する面から、容器部１の内部に向けて突出した形状となっている。図２（ｂ）に示した構成は一例であり、他の形態によって内部に向けて突出していてもよい。なお、この保持部１ａは、必要に応じて容器部１の内壁に相当する面から、何れかが分離可能となっていてもよい。
【００３１】
この植物育成装置において、容器部１は、上下方向に伸びる部材としての保持部１ａと、水平方向に伸びる部材１ｆとを組み合わせて構成される。なお、水平方向に伸びる部材１ｆは、保持部１ａとは異なる方向に伸びる部材によって構成されていればよい。
【００３２】
さらに、この植物育成装置は、図２（ａ）に示すように、容器部１の上端に、固定ガイド部１ｅが設けられている。この固定ガイド部１ｅについては後述する。
【００３３】
この植物育成装置は、保持部１ａと水平方向に伸びる部材１ｆとによって、容器部１を網目状の部材で形成する。これにより、植物育成装置は、上述した植物育成装置と同様に、栄養体１００と容器部１の内壁に相当する面との間にスペースを形成できる。これに加え、植物育成装置は、容器部１を網目状の部材により構成したことにより、栄養体１００から伸びた茎１０１及び根１０２の伸張を妨げることなく、栄養体１００を育成することができる。
【００３４】
本実施形態において、植物育成装置は、図３に示すように、容器部１を、保持部１ａとしての棒状部材と、棒状部材の下端部を支持する支持部１ｇとによって構成してもよい。保持部１ａは、上下方向に伸びる複数の棒状部材により構成している。この棒状部材は、容器部１の内壁に相当する面に対して平面であってもよく、突出していてもよい。
【００３５】
このような植物育成装置であっても、上述した植物育成装置と同様に、栄養体１００の周りにスペースを形成できる。これに加え、植物育成装置は、図２に示した植物育成装置と同様に、栄養体１００から伸びた茎１０１及び根１０２の伸張を妨げることなく、栄養体１００を育成することができる。
【００３６】
本実施形態において、植物育成装置は、図４に示すように、開口部が容器部の上面側に設けられ、上面側の開口部１ｂから水平方向に伸びるリブ部２を設けてもよい。この植物育成装置は、リブ部２を、設置面２００に固定する。これにより、この植物育成装置は、栄養体１００の定植・収穫や、メンテナンス時の栄養体１００の設置・除去作業が上面側から容易に行うことができる。さらに、植物育成装置は、設置面２００から容器部１を取り外す作業を容易に行うことができる。したがって、この植物育成装置は、栄養体１００を水耕栽培装置に移植する作業や、水耕栽培装置から容器部１に栄養体１００を戻す作業を容易に行うことができる。
【００３７】
本実施形態において、植物育成装置は、図５乃至図７に示すように、開口部が容器部１の上面側に設けられ、上面側の開口部１ｂに、栄養体１００から伸びた茎１０１（茎部）を支持する部材と組み合わせ可能な固定ガイド部を設けてもよい。
【００３８】
図６の植物育成装置は、図２に示した容器部１に固定ガイド部１ｅを設けている。このような容器部１は、栄養体１００から成長した茎１０１を支えるための支持円柱部２０が設置される。この支持円柱部２０は、水平方向に伸びる部材２１と上下方向に伸びる部材２２とが組み合わせた網状となっている。
【００３９】
他の形態としては、図５に示すように、容器部１の上端部を固定ガイド部として利用してもよい。そして、支持円柱部２０は、容器部１の上端部に設置される。さらに他の形態としては、図７に示すように、図３の容器部１において、棒状の保持部１ａの上端を固定ガイド部として利用してもよい。この植物育成装置は、支持円柱部２０が上端に設置されると、支持円柱部２０の重みによって図中点線で示すように棒状部材が撓る。
【００４０】
このような植物育成装置によれば、容器部１に、支持円柱部２０を固定するための固定ガイド部を設けている。これにより、植物育成装置によれば、上述した効果に加え、栄養体１００の育苗工程から栽培工程までを含めた植物の栽培を実現することができる。
【００４１】
本実施形態において、植物育成装置は、図８に示すように、重量センサー３１、制御部３２、及び、表示部３３を有していてもよい。さらに、この植物育成装置は、容器部１を支持する円柱支持部３４と、養液１１０内に配置されて円柱支持部３４を支持するスペーサ部３５とを備えている。円柱支持部３４は、下方が開口部３４ａとされている。円柱支持部３４は、上端に重量センサー３１が設けられる。さらに円柱支持部３４の上方には、設置面２００が設置される。なお、設置面２００、円柱支持部３４、スペーサ部３５は、養液１１０によって根１０２に養分及び水分を与える水耕栽培装置を構成する。
【００４２】
この植物育成装置は、容器部１を設置面２００に設置した状態で、養液１１０から所定の高さに配置される。そして、栄養体１００ａの根１０２が下方に垂れ下がった状態で、根１０２が養液１１０に浸漬されるよう構成されている。
【００４３】
重量センサー３１は、リブ部２の重量を計測する重量計測部として機能する。重量センサー３１は、設置面２００と円柱支持部３４との間に設けられる。なお、設置面２００は、栄養体１００ａから根１０３を介して成長した収穫物１００ｂの土台としても機能する。重量センサー３１は、設置面２００から加わる重量を検出する。この検出された重量は、容器部１、リブ部２、設置面２００、収穫物１００ｂ、栄養体１００ａ、茎１０１、及び、根１０２の重量を含む。重量センサー３１の検出値は、制御部３２によって読み取られる。
【００４４】
制御部３２は、重量センサー３１から供給された検出値から表示データを作成する。この表示データは、表示部３３に供給される。制御部３２は、例えば図９に示すように構成される。制御部３２は、ＣＰＵ３２ａ、表示回路３２ｂ、及び、電源回路３２ｃを含む。制御部３２は、電源回路３２ｃによって自身が動作し、重量センサー３１及び表示部３３に電力を供給する。そして、制御部３２は、重量センサー３１の検出値をＣＰＵ３２ａによって読み取る。表示回路３２ｂは、重量センサー３１の検出値から表示データを作成して、表示部３３を駆動させる。
【００４５】
表示部３３は、重量センサー３１により計測された結果を表示する。このとき、表示部３３は、制御部３２から供給された表示データに従って動作する。
【００４６】
このような植物育成装置は、栄養体１００ａから茎１０１及び根１０２が育成し、根１０３から収穫物１００ｂが育成すると、重量センサー３１に加わる総重量が増加する。このような総重量の変化を、表示部３３によってリアルタイムに表示することができる。したがって、作業者にリアルタイムに植物体の育成状況を把握させることができる。
【００４７】
例えば図１０に示すように、重量センサー３１により検出される総重量と植物育成のための制御タイミングを設定しておくことができる。例えば、総重量がｘとなったタイミングで、日長時間変更の制御タイミングａを判断できる。さらに総重量が増加してｙとなると、養液濃度変更の制御タイミングｂを判断できる。さらに総重量が増加してｚとなると、収穫時期お知らせの制御タイミングｃとなる。制御部３２は、総重量と制御タイミングとの関係を表す植物育成曲線を予め設定しておく。そして、制御部３２は、総重量を重量センサー３１によって検知したことに応じて、所定の総重量のｘ、ｙ、ｚとなったか否かを判定する。そして、制御部３２は、所定の総重量のｘ、ｙ、ｚとなると、所定の制御タイミングａ、ｂ、ｃとなったことを表示部３３に表示させることができる。
【００４８】
以上のように、この植物育成装置によれば、重量センサー３１によって得られた総重量から制御すべき管理項目を判断できる。これにより、植物育成装置によれば、総重量から栽培ステージを把握し、液肥濃度や照度時間の管理や、収穫時期のタイミングを把握することが可能となる。したがって、この植物育成装置によれば、栽培作業を自動化でき、例えば目視による成長確認や手動による各種管理を省くことができ、省力化を実現できる。
【００４９】
本実施形態において、植物育成装置は、重量センサー３１による計測結果を外部に送信する送信部を備えていてもよい。この送信部は、例えば図１１に示すように、重量センサー３１に接続されたタグ４３、リーダ部４２、ＰＬＣアダプタ４１に相当する。
【００５０】
このタグ４３は、図１２に示すように、ＣＰＵ４３ａ及び無線送信回路４３ｂを含む。図１２に示すタグ４３は、内部に電源を有しないパッシブ型のタグである。ＣＰＵ４３ａは、重量センサー３１による検出値を取得する。タグ４３は、リーダ部４２から電波が発せられると、無線送信回路４３ｂが電波に応答して重量センサー３１の検出値を含む電波を返信する。
【００５１】
また、アクティブ型のタグ４３の場合、タグ４３は、図１３に示すように電源４３ｃを含む。このアクティブ型のタグ４３も、パッシブ型と同様に動作するが、パッシブ型よりも長い距離間でリーダ部４２と電波の授受が可能となる。
【００５２】
なお、タグ４３とリーダ部４２の距離が短い場合（例えば１００ｍｍ以内）には、タグ４３に電池がないパッシブ型のものが使用可能である。このパッシブ型のタグ４３は、例えばＨＦ帯に含まれる１３．５６ＭＨｚのＮＦＣ（Near Field Communication）が行えるものが使用可能である。なお、このパッシブ型のタグ４３は、これ以外の周波数帯域の電波を授受するものでも使用可能であることは勿論である。また、タグ４３とリーダ部４２との距離が例えば１００ｍｍ以上の場合、タグ４３側に電源４３ｃを搭載したアクティブ型のものを使用することが望ましい。
【００５３】
リーダ部４２は、水耕栽培装置側の水耕液下部または側面に配置される。リーダ部４２は、ＣＰＵ４２ａ、電源回路４２ｂ、無線受信回路４２ｃ、及び、通信制御部４２ｄを含む。リーダ部４２は、ＣＰＵ４２ａの制御に従って、無線受信回路４２ｃが所定の制御タイミングでタグ４３に電波を発する。リーダ部４２は、タグ４３から返信された電波を無線受信回路４２ｃによって読み取り、ＣＰＵ４２ａに供給する。ＣＰＵ４２ａは読み取った電波から重量センサー３１の検出値を取得する。リーダ部４２は、重量センサー３１の検出値を、アナログ信号出力又はデジタル信号出力信号としてＰＬＣアダプタ４１に供給する。このＰＬＣアダプタ４１は、信号線を介して管理者が操作する管理装置等に接続する。これにより、管理者は、送信された重量センサー３１の検出値を把握できる。
【００５４】
このような植物育成装置は、重量センサー３１による計測結果をタグ４３、リーダ部４２、及び、ＰＬＣアダプタ４１を含む送信部によって送信できる。これにより、ＰＬＣアダプタ４１に接続された管理者の管理装置によって、栽培状況を管理できる。また、多数の栽培状況を管理する場合であっても、多数の重量センサー３１の検出値を管理装置で一元管理できる。これにより、栽培物の生育状態から照明制御や養液管理などを自動制御することが可能となる。
【００５５】
さらに、図１１乃至図１３の植物育成装置は、図１４及び図１５に示すように、照明設備５１と、光を受けて発電する光発電素子５２とを備えていてもよい。照明設備５１は、例えばＬＥＤ等からなり、植物体に照射する光Ｌを発する。照明設備５１は、図示しない制御部によって光強度及び照射時間が制御可能である。
【００５６】
光発電素子５２は、図１４に示すように、照明設備５１の光Ｌを受光可能な位置に配置されている。光発電素子５２は、例えばアモルファスシリコン太陽電池が使用可能である。光発電素子５２は、光Ｌを受光したことに応じて発電した電力をタグ４３に供給する。この電力は、図１５に示すタグ４３内の電源回路４３ｄに供給される。その結果、電源回路４３ｄは、供給された電力によってＣＰＵ４３ａ及び無線送信回路４３ｂを駆動できる。
【００５７】
なお、重量センサー３１の検出値の計測は照明設備５１の点灯時のみしか行えない。しかし、厳密な総重量のリアルタイム性を求められるものではないため、総重量を監視する機能としては十分と考えられる。
【００５８】
このような植物育成装置によれば、植物体に照射する光Ｌを利用して発電し、アクティブ型のタグ４３を動作させることができる。したがって、この植物育成装置によれば、アクティブ型のタグ４３に電池を使用することなく、電池交換といったメンテナンスを省くことができる。
【００５９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６０】
１  容器部
１ａ  保持部
１ｂ、１ｃ  開口部
１ｅ  固定ガイド部
２  リブ部
３１  重量センサー
３２  制御部
３３  表示部
４１  ＰＬＣアダプタ
４２  リーダ部
４３  タグ
【図１】
2014209871.tif 000003
【図２】
2014209871.tif 000004
【図３】
2014209871.tif 000005
【図４】
2014209871.tif 000006
【図５】
2014209871.tif 000007
【図６】
2014209871.tif 000008
【図７】
2014209871.tif 000009
【図８】
2014209871.tif 000010
【図９】
2014209871.tif 000011
【図１０】
2014209871.tif 000012
【図１１】
2014209871.tif 000013
【図１２】
2014209871.tif 000014
【図１３】
2014209871.tif 000015
【図１４】
2014209871.tif 000016
【図１５】
2014209871.tif 000017